(57)【要約】      （修正有）【課題】簡単な構造で土のう袋やガラ袋などの袋を安定して保持でき、折り畳み可能な、保持スタンドを提供する。【解決手段】保持スタンド１は、円形の底面部３と、前記底面部３の周縁から立設され、上方が開口した円筒状の胴部２と、前記胴部２の外周面２ａに取り付けられ、前記底面部３と前記開口４とを前記胴部２の軸方向Ｘに離間するように付勢する円筒状のスプリング５を有する。さらにまた、前記底面部３の外周近傍で前記胴部２の外周面２ａに、周方向に所定の間隔をあけて設けられた係止部６と、前記開口４の外周近傍で前記胴部２の外周面２ａに、周方向に所定の間隔をあけて前記係止部６に対応する位置に設けられた被係止部７と、を備える。【選択図】図１
0003177156.tif 000002
【実用新案登録請求の範囲】
【請求項１】
円形の底面部と、
前記底面部の周縁から立設され、上方が開口した円筒状の胴部と、
前記胴部の外周面に取り付けられ、前記底面部と前記開口とを前記胴部の軸方向に離間するように付勢する円筒状のスプリングと、
前記底面部の外周近傍で前記胴部の外周面に、周方向に所定の間隔をあけて設けられた係止部と、
前記開口の外周近傍で前記胴部の外周面に、周方向に所定の間隔をあけて前記係止部に対応する位置に設けられた被係止部と、を備え、
前記胴部をその軸方向に縮めて、前記係止部と前記被係止部とを係合することによって、前記胴部を縮めた状態で保持可能で、
前記係止部と前記被係止部との係合を解除することによって、前記胴部が伸びた状態となり、前記底面部と前記胴部とにより囲まれた空間に、袋を設置可能であることを特徴とする
袋用保持スタンド。
【請求項２】
前記係止部は、端部が前記胴部の外周面に縫着されたベルトと、該ベルトに取り付けられたバックルの雄部材とを備え、
前記被係止部は、端部が前記胴部の外周面に縫着されたベルトと、該ベルトに取り付けられたバックルの雌部材とを備え、
前記雄部材を前記雌部材に差込むことにより、これらが係合可能であることを特徴とする
請求項１に記載の袋用保持スタンド。
【請求項３】
前記胴部の外周面の上方で、かつ、前記被係止部のベルトが縫着された部分よりも下方に縫着された手提げ用バンドを備えることを特徴とする
請求項２に記載の袋用保持スタンド。
【請求項４】
前記手提げ用バンドが、肩にかけられる長さであることを特徴とする
請求項３に記載の袋用保持スタンド。
【請求項５】
前記胴部の外周面で、前記雄部材に対応する位置に、前記雄部材を保持可能な弾性の保持部材が縫着されていることを特徴とする
請求項２〜４のいずれか１項に記載の袋用保持スタンド。
【請求項６】
前記胴部の外周面に撥水加工がされ、
前記胴部の内周面に防水加工がされていることを特徴とする
請求項１〜５のいずれか１項に記載の袋用保持スタンド。
【請求項７】
前記底面部および前記胴部は主たる材料が布であって、
前記底面部は、円形の芯材を挟み込むように上下から２枚の円形の布が重ね合わされ、これら円形の布の周縁が縫着されていて、
前記胴部の外周面には、前記スプリングを覆うように帯状の布が縫着されていることを特徴とする
請求項１〜６のいずれか１項に記載の袋用保持スタンド。
【請求項８】
さらに、前記胴部の軸方向における前記係止部と前記被係止部との間で、前記胴部の外周面に、周方向に所定の間隔をあけて前記被係止部に対応する位置に設けられた第二の係止部、を備えることを特徴とする
請求項１〜７のいずれか１項に記載の袋用保持スタンド。
【考案の詳細な説明】
【技術分野】
【０００１】
本考案は、例えば土のう袋やガラ袋などの袋を保持可能な袋用保持スタンドに関し、折り畳み可能な袋用保持スタンドに関する。
【背景技術】
【０００２】
従来、建築現場において発生したガラ（例えば、作業くずやカンナくず、瓦礫などの建築廃材）を袋詰めする場合など、1人が袋の口をあけ、もう1人がガラや土砂などを袋の中へ入れて行われるのが一般的である。
【０００３】
一方、このようなガラなどのゴミを袋詰め作業を１人でも行えるように構成した、袋を保持する保持スタンドの発明が提案されている。
【０００４】
例えば、特許文献１に記載の発明は、ベースに支持棒を立設するとともに、この支持棒の上部に土のう袋の保持枠を取付けてなる土のう袋の保持スタンドであって、土のう袋の保持枠に土のう袋を開口保持する４本の棒を下向きに突設するとともに、その４本の棒の内の少なくとも１本の棒が保持枠の下面に水平方向に回動自在に取付けられたアームに取付けられ、且つそのアームが土のう袋を開口した状態で固定可能に取付けられてなる土のう袋の保持スタンドである（特許文献１の第１図参照）。
【０００５】
また、特許文献２に記載の考案は、平形材で、２組の四角形が内設してＸ字状で回動と係止する枠の上部に袋を着脱する袋の保持スタンドであって、それぞれの両側上方に外向きの袋掛け切欠と両側中央部分に２組の枠を内設とＸ字状に立設させる係止ピンとピン入切欠を設けて回動可能に軸着し、Ｘ字状の立設状態で、片面下部と上面を分断して三角を有する外固定枠と内固定枠、一角を有する外可動枠と内可動枠とし、それぞれの下部は蝶着し、上部は外固定枠と内固定枠に、掛け部を有する外可動枠と内可動枠が掛止する枠受け面と傘付軸を設けてなる袋の保持スタンドである（特許文献２の第１図参照）。
【０００６】
また、特許文献３に記載の発明は、固定具がスライド自在に取り付けられた４本の支柱がそれぞれ底輪の４カ所と口輪の４カ所に緩く連結されてなる袋用の保持スタンドであって、底輪には固定具を固定するための出っ張りが設けられている。これにより、保持スタンド使用時には、固定具を出っ張りに固定して保持スタンドを立たせた状態で布袋を装着し、不使用時には、固定具を出っ張りから外して底輪との固定を解除し、口輪を回転させながら底輪の方に畳むことで、４本の支柱が弧を描いて曲がりながら口輪とともに底輪の内側に収納される（特許文献３の第１図、第２図参照）。
【先行技術文献】
【特許文献】
【０００７】
【特許文献１】特開２０００−０４３８３１号公報
【特許文献２】特開２００６−１６０２６５号公報
【特許文献３】実用新案登録第３１６０７３３号公報
【考案の概要】
【考案が解決しようとする課題】
【０００８】
しかしながら、保持スタンドを利用しない従来の袋詰め作業は、少なくとも２人で行う必要があり、人手を必要とする現場では、このような作業は極力人手を少なくして効率的に行いたいという要求がある。また、２人で作業する場合、袋を保持している保持者の手を怪我させるなどの危険もある。
【０００９】
一方、特許文献１〜３の保持スタンドは、骨組みのみで構成されているため強度が低く、ガラのように重量のあるものを入れる袋に使用するには適さない。特に、ガラ袋を使用する場合、長い木片などの瓦礫を入れることがあるので、保持スタンドが倒れるおそれがあり危険である。
【００１０】
また、これらは骨組みの保持スタンドであるため、ガラなどの重量のあるゴミを入れた状態で保持スタンドを移動させるのは困難である。移動させる場合、土のう袋やガラ袋を保持スタンドから外して別々に移動させるか、袋の中のガラをこぼさないよう注意を払いながら、袋と、袋が装着された状態の保持スタンドを両方持って移動させる必要があり、いずれも効率が悪い。
【００１１】
また、特許文献１の保持スタンドは折り畳むことができないため、使用しない時は保持スタンドが邪魔である。
【００１２】
上記の課題を解決すべく、本考案の目的の一つは、簡単な構造で土のう袋やガラ袋などの袋を安定して保持でき、折り畳み可能な、袋用保持スタンドを提供することにある。
【課題を解決するための手段】
【００１３】
上記の課題を解決するために、本考案に係る袋用保持スタンドは、円形の底面部と、前記底面部の周縁から立設され、上方が開口した円筒状の胴部と、前記胴部の外周面に取り付けられ、前記底面部と前記開口とを前記胴部の軸方向に離間するように付勢する円筒状のスプリングと、前記底面部の外周近傍で前記胴部の外周面に、周方向に所定の間隔をあけて設けられた係止部と、前記開口の外周近傍で前記胴部の外周面に、周方向に所定の間隔をあけて前記係止部に対応する位置に設けられた被係止部と、を備え、
前記胴部をその軸方向に縮めて、前記係止部と前記被係止部とを係合することによって、前記胴部を縮めた状態で保持可能で、前記係止部と前記被係止部との係合を解除することによって、前記胴部が伸びた状態となり、前記底面部と前記胴部とにより囲まれた空間に、袋を設置可能であることを特徴とする。
【００１４】
ここで、「袋」とは、例えば土のう袋やガラ袋などをいう。この構成によれば、保持スタンドの前記底面部と前記胴部によって、土のう袋やガラ袋などの袋が囲われて保持されるので、これらの袋が保持スタンドによって安定して保持される。また、これらの袋を移動する際も、保持スタンドごと容易に移動できる。また、保持スタンドを使用しない時は、前記胴部を縮めて前記係止部と前記被係止部とを係合することで、保持スタンドが折り畳まれる。なお、前記係止部と前記被係止部は、好ましくは２組以上であって、例えば２組の場合には周方向に１８０度の間隔をあけ、３組の場合には周方向に１２０度の間隔をあけ、４組の場合には周方向に９０度の間隔をあけて設ければよい。
【００１５】
請求項２に係る袋用保持スタンドは、前記係止部が、端部が前記胴部の外周面に縫着されたベルトと、該ベルトに取り付けられたバックルの雄部材とを備え、前記被係止部が、端部が前記胴部の外周面に縫着されたベルトと、該ベルトに取り付けられたバックルの雌部材とを備え、前記雄部材を前記雌部材に差込むことにより、これらが係合可能であることを特徴とする。
【００１６】
この構成によれば、前記係止部と前記被係止部とが、ベルトおよびバックルの雄部材と雌部材とによる構造のため、雄部材と雌部材とでこれらをしっかりと係合することができる。よって、保持スタンドの折り畳み時に、これらの係合が不用意に解除されるのを抑える。また、ベルトによってある程度の位置調整ができるし、製造時の精度誤差も吸収できる。
【００１７】
請求項３に係る袋用保持スタンドは、前記胴部の外周面の上方で、かつ、前記被係止部のベルトが縫着された部分よりも下方に縫着された手提げ用バンドを備えることを特徴とする。
【００１８】
この構成によれば、保持スタンドが手提げバンドを備えるので、土のう袋やガラ袋などの袋を保持スタンドごと容易に移動できる。一方、袋を保持スタンドに取り付ける場合、通常、袋の上方を前記胴部の外周面に沿うように折り返して使用するが、手提げバンドの縫着位置が前記被係止部のベルトが縫着された部分よりも下方に設定されているため、手提げバンドが袋の折り返し部分に緩衝しづらい。すなわち、袋を折り返して保持スタンドに取り付けた時にも手提げバンドを利用しやすい。
【００１９】
請求項４に係る袋用保持スタンドは、前記手提げ用バンドが、肩にかけられる長さであってもよい。
【００２０】
この構成によれば、保持スタンドを移動する際、手提げバンドを肩にかけて移動することができる。
【００２１】
請求項５に係る袋用保持スタンドは、前記胴部の外周面で、前記雄部材に対応する位置に、前記雄部材を保持可能な保持部材が縫着されていることを特徴とする。
【００２２】
ここで、保持部材とは、例えば弾性のゴムベルトであって、このゴムベルトの両端部を前記胴部の外周面に縫着して、縫着されていない部分に前記雄部材を差し込んで保持する。この構成によれば、保持部材によって前記雄部材を保持できるので、作業員等が作業する時に、作業員等の前記雄部材への引っかかりを抑える。
【００２３】
請求項６に係る袋用保持スタンドは、前記胴部の外周面に撥水加工がされ、前記胴部の内周面に防水加工がされていることが好ましい。
【００２４】
この構成によれば、前記胴部の内部への水の浸入を防ぐ。これにより、土やガラに水が浸透することによって起こる重量の増加を抑える。
【００２５】
請求項７に係る袋用保持スタンドは、前記底面部および前記胴部は主たる材料が布であって、前記底面部は、円形の芯材を挟み込むように上下から２枚の円形の布が重ね合わされ、これら円形の布の周縁が縫着されていて、前記胴部の外周面には、前記スプリングを覆うように帯状の布が縫着されていることを特徴とする。
【００２６】
この構成によれば、前記底面部が安定するので、保持スタンド全体が安定する。また、保持スタンドを移動する際など、内部のガラやゴミが前記底面を突き破ることを抑える。
【００２７】
請求項８に係る袋用保持スタンドは、さらに、前記胴部の軸方向における前記係止部と前記被係止部との間で、前記胴部の外周面に、周方向に所定の間隔をあけて前記被係止部に対応する位置に設けられた第二の係止部、を備えることを特徴とする。
【００２８】
この構成によれば、前記胴部の軸方向における前記係止部と前記被係止部との間に第二の係止部を備えるため、前記被係止部と前記係止部とを係合して折り畳む以外に、前記被係止部と前記第二の係止部とを係合すれば前記胴部の長さを短くして保持スタンドを使用できる。例えば、前記第二の係止部を前記胴部の軸方向の略１／２の位置に設ければ、前記胴部の軸方向寸法の略１／２の長さの保持スタンドとして使用できる。
【考案の効果】
【００２９】
以上のように、本考案に係る袋用保持スタンドは、簡単な構造で土のう袋やガラ袋などの袋を安定して保持でき、折り畳み可能であり、取り扱いがしやすい。
【図面の簡単な説明】
【００３０】
【図１】図１は本考案の一実施形態に係る保持スタンドの斜視図である。
【図２】図２は保持スタンドを折り畳んだ状態の斜視図である。
【図３】図３は保持スタンドのスプリングの斜視図である。
【図４】図４は保持スタンドのＩＶ−ＩＶ線断面図である。
【図５】図５（ａ）はバックルの雄部材と雌部材とを係合した状態の斜視図である。図５（ｂ）は係合を解除した状態の斜視図である。
【図６】図６（ａ）は保持スタンドにガラ袋を取り付けた状態の斜視図である。図６（ｂ）は保持スタンドから取り外した状態のガラ袋の斜視図である。図６（ｃ）はガラ袋の上部を完全に結んだ状態の斜視図である。
【図７】図７（ａ）は図１の保持スタンドの変形例の斜視図である。図７（ｂ）は同変形例を１／２まで縮めた状態の斜視図である。
【考案を実施するための形態】
【００３１】
以下、本考案に係る保持スタンドの実施形態を図面により説明するが、本考案はこの実施形態に限定されるものではない。
【００３２】
＜保持スタンドの構造＞
図１は、本発明の一実施形態に係る保持スタンド１の斜視図であり、胴部２が伸びた状態を示す。図２は、保持スタンド１の胴部２が縮んだ状態を示す。図１に示すように、保持スタンド１は、円形の底面部３と、底面部３の周縁から立設され上方に開口４を有する円筒状の胴部２と、を備える。本実施形態の保持スタンド１は、一例として直径約３５ｃｍ、高さ約６５ｃｍのガラ袋用の保持スタンドであって、約６０Ｌまでのガラ袋に使用する。
【００３３】
胴部２は、その外周面２ａに沿ってスプリング５が取り付けられ、スプリング５を覆うように帯状布９が縫着されている（図３、図４参照）。また、外周面２ａの下方には、底面部３の外周近傍で、周方向に約１８０度の間隔をあけて２つの係止部６が設けられている。また、外周面２ａの上方には、開口４の外周近傍で、周方向に約１８０度の間隔をあけて係止部６と周方向に対応する位置に２つの被係止部７が設けられている。また、外周面２ａには、２つの被係止部７の下方に、両端が縫着された長さ約９０ｃｍの手提げ用バンド１０が設けられている。なお、本実施形態の胴部２は一例としてポリエステルの生地からなり、外周面２ａに撥水加工がなされ、内周面２ｂに防水加工がなされている。
【００３４】
底面部３は、薄型の円形プレート３１（芯材）を上下から円形布３２、３３で挟み込み、これら円形布３２、３３の周縁が縫着されてなる。また、底面部３の周縁が胴部２の下端と縫着されていて、これら周縁および下端を覆うように補強テープ１１が縫着されている。また、底面部３の下面にはプラスチック製の足１２が５つ配置されている（図４参照）。なお、本実施形態の底面部３は、円形プレート３１が一例として樹脂からなり、円形布３２、３３が一例としてポリエステルの生地からなり、円形布３２の上面が防水加工され、円形布３３の下面が撥水加工されている。
【００３５】
スプリング５は、金属性のスプリングであり、一例としてワイヤー鋼鉄線からなる。図３に示すように、スプリング５は、下方に底面部３と略同径の輪状部５ａと、上方に輪状部５ａと略同形の輪状部５ｂと、これら輪状部５ａと輪状部５ｂとを連続的に繋ぐ螺旋部５ｃとからなる。また、スプリング５は、胴部２の外周面２ａに縫着された帯状布９の内部に挿通されて、胴部２に取り付けられている（図４参照）。また、スプリング５は、輪状部３ａと輪状部３ｂとを胴部２の軸方向Ｘに離間するように付勢しており、荷重を加えることによって圧縮されて軸方向Ｘに縮められる。このような構成により、保持スタンド１を軸方向Ｘに縮めて、折り畳むことができる（図２参照）。
【００３６】
係止部６は、バックル雄部材６１とベルト６２とからなる。ベルト６２は、その端部が底面部３の周縁に補強テープ１１とともに縫着されていて、ベルト６２にバックル雄部材６１が挿通され取り付けられている（図５参照）。また、胴部２の外周面２ａには、バックル雄部材６１に対応する位置に、ゴムベルト８がその両端が縫着されて取り付けられている。これにより、バックル雄部材６１を使用しない時（保持スタンド１の使用時）は、バックル雄部材６１を外周面２ａとゴムベルト８との間に挟み込み収納できる。
【００３７】
被係止部７は、バックル雌部材７１とベルト７２とからなる。ベルト７２は、その端部が開口４の周縁で胴部２の上端に帯状布９とともに縫着されていて、ベルト７２にバックル雌部材７１が挿通されて取り付けられている（図５参照）。なお、本実施形態の係止部６と被係止部７は、バックル雄部材６１とバックル雌部材７１が一例としてプラスチックからなり、ベルト６２と７２が一例としてポリプロピレンの生地からなる。
【００３８】
＜保持スタンドの折り畳み＞
図２に示すように、保持スタンド１を使用しない時は折り畳むことができる。保持スタンド１の折り畳みは、保持スタンド１の上方から軸方向Ｘに下向きに荷重をかけて胴部２を縮め、下部の雄部材６１を上部の雌部材７１に差し込んで嵌合させる。これにより、雄部材６１と雌部材７１とがしっかりと係合され、保持スタンド１の折り畳み状態を維持できる。
【００３９】
一方、保持スタンド１を使用する時は、折り畳み状態の保持スタンド１の雄部材６１と雌部材７１との係合を解除する。そうすると、保持スタンド１のスプリング５により、胴部２が伸びて保持スタンド１が使用状態となる（図１参照）。
【００４０】
＜保持スタンドの使用＞
次に、保持スタンド１の使用について説明する。図６（ａ）に示すように、保持スタンド１の雄部材６１と雌部材７１の係合を解除して、保持スタンド１を使用状態とする。そして、保持スタンド１の空間部にガラ袋２０を入れ、ガラ袋２０の折り曲げ部２２を保持スタンド１の上部に沿って折り返して設置する。この状態で、使用者は、建築現場の作業で出た作業くずやカンナくず、建築廃材などのガラＧをガラ袋２０内に入れる。
【００４１】
そして、ガラ袋２０がいっぱいになったら、ガラ袋２０の上部をしめてガラ袋２０を取り出して、ゴミ捨て場などに捨てる（図６（ｂ）参照）。なお、続けて使用する場合は、保持スタンド１に新しいガラ袋を設置する。
【００４２】
また、ガラ袋２０がいっぱいになって捨てる前にガラ袋２０を移動する場合は、ガラ袋２０が設置された保持スタンド１ごと、手提げ用バンド１０を手に持って、もしくは肩にかけて移動することができる。
【００４３】
＜保持スタンドの変形例＞
次に、保持スタンド１の変形例について説明する。なお、保持スタンド１０１と保持スタンド１との違いは、主として、第二の係止部の有無と手提げ用バンドとサイズの違いである。したがって、これら相違点を中心に説明する。なお、保持スタンド１と同様の構成については同一の符号を用いる。
【００４４】
図７（ａ）に示すように、保持スタンド１０１は、円形の底面部１０３と、底面部１０３の周縁から立設され上方に開口１０４を有する円筒状の胴部１０２と、を備える。この保持スタンド１０１は、一例として直径約２５ｃｍ、高さ約４５ｃｍの土のう袋サイズ用の保持スタンドであって、約２０Ｌまでの土のう袋に使用する。
【００４５】
胴部１０２には、その外周面１０２ａの下方に、底面部１０３の外周近傍で、周方向に約１８０度の間隔をあけて２つの係止部６が設けられている。また、外周面１０２ａの上方には、開口１０４の外周近傍で、周方向に約１８０度の間隔をあけて係止部６と周方向に対応する位置に２つの被係止部７が設けられている。さらに、外周面１０２ａの中央に、周方向に約１８０度の間隔をあけて被係止部７と周方向に対応する位置に２つの第二の係止部１０６が設けられている。
【００４６】
この構成によれば、第二の係止部１０６と被係止部７とを係合して、胴部１０２の長さを短くして保持スタンド１０１を使用できる（図７（ｂ）参照）。なお、本実施形態の保持スタンド１０１は、第二の係止部１０６を胴部１０２の軸方向Ｘの中央付近（略１／２）に設けているので、胴部１０２の軸方向寸法の略１／２の長さとなる。
【００４７】
また、外周面１０２ａには、２つの被係止部７の下方に、両端がそれぞれ縫着された長さ約３０ｃｍの手提げ用バンド１１０が２本設けられている。これにより、使用者は保持スタンド１０１を移動する際、手提げ用バンド１１０を持って容易に移動できる。
【００４８】
＜その他の実施形態＞
以上のとおり、図面を参照しながら本考案の好適な実施形態を説明したが、本考案の趣旨を逸脱しない範囲内で、種々の追加、変更または削除が可能である。特に、保持スタンドの各構成要素の材質や外観、寸法、形状等はこの限りでない。また、係止部および被係止部の数は各２個に限らず、各３個や各４個、それ以上の数としてもよい。また、土のう袋やガラ袋以外の袋を使用することもできる。したがって、そのようなものも本考案の範囲内に含まれる。
【符号の説明】
【００４９】
１  保持スタンド（袋用保持スタンド）
２  胴部
２ａ  外周面
２ｂ  内周面
３  底面部
３１  円形プレート（芯材）
３２  円形布
３３  円形布
４  開口
５  スプリング
５ａ  輪状部
５ｂ  輪状部
５ｃ  螺旋部
６  係止部
６１  バックル雄部材
６２  ベルト
７  被係止部
７１  バックル雌部材
７２  ベルト
８  ゴムベルト（保持部材）
９  帯状布
１０  手提げ用バンド
１１  補強テープ
１２  足
２０  ガラ袋
２１  本体部
２２  折り曲げ部
１０１  保持スタンド（変形例）
１０２  胴部
１０３  底面部
１０４  開口
１０６  第二の係止部
１１０  手提げ用バンド
Ｇ    ガラ
【図１】
0003177156.tif 000003
【図２】
0003177156.tif 000004
【図３】
0003177156.tif 000005
【図４】
0003177156.tif 000006
【図５】
0003177156.tif 000007
【図６】
0003177156.tif 000008
【図７】
0003177156.tif 000009